(57)【要約】 【課題】  電波伝搬路に設置された反射板において、簡易な構成、かつ、低コストで障害物の有無を容易に点検する。【解決手段】  電波伝搬路に配設された反射板１００に配設され、障害物の有無を点検する電波伝搬路点検装置１であって、電波伝搬路において障害物の除去が必要な要伐採エリアを標示する標示部２と、標示部２を電波伝搬方向Ａに向かうように反射板１００に取り付けるための取付手段４を備えることを特徴とする。【選択図】  図２
2014135570.tif 000002
【特許請求の範囲】
【請求項１】
電波伝搬路に配設された反射板に配設され、障害物の有無を点検する電波伝搬路点検装置であって、
前記電波伝搬路において障害物の除去が必要なエリアを標示する標示部と、
前記標示部を電波伝搬方向に向かうように前記反射板に取り付けるための取付手段と、
を備えることを特徴とする電波伝搬路点検装置。
【請求項２】
前記標示部が前記電波伝搬方向に向かって配設されていることを確認するための接眼部を備える、ことを特徴とする請求項１に記載の電波伝搬路点検装置。
【請求項３】
前記標示部はリング状に形成されている、ことを特徴とする請求項１または２に記載の電波伝搬路点検装置。
【請求項４】
前記標示部は、電波伝搬路における障害物を直ちに除去する必要がある第１のエリアを標示する第１の標示部と、障害物を直ちに除去する必要はない第２のエリアを標示する第２の標示部とを有する、
ことを特徴とする請求項１ないし３のいずれか１項に記載の電波伝搬路点検装置。
【発明の詳細な説明】
【技術分野】
【０００１】
この発明は、電波伝搬路に設置された反射板に配設され、障害物の有無を点検する電波伝搬路点検装置に関する。
【背景技術】
【０００２】
例えば、マイクロ波無線装置による電波の伝送において、見通しが悪く電波を直接伝搬することができない区間では、中継地点に反射板を配設し電波を中継している。中継地点は、広範囲に電波を伝搬することができる山上などに設置されることが多いので、電波伝搬路が樹木などによって遮られていないかどうかを定期的に点検する必要がある。
【０００３】
従来の点検は、作業者が反射板に上り、反射板の四隅から電波伝搬方向を目視で確認し、視界を遮る樹木の有無によって伐採の要否を判定していた。そのため、濃霧時のように視界が悪い日は、電波の伝送相手である対向先の空中線アンテナや反射板を視認することができないため、電波伝搬方向を推測することが困難なことがある。また、どの範囲の樹木をどの高さで伐採するといった伐採の要否の判定は基準が曖昧で、作業者によってバラツキが生じるという問題があった。
【０００４】
ところで、無線伝搬路における電波伝搬路設計や目視により障害物の有無を確認する点検作業において利用する電波伝搬路障害物確認スコープに関する技術が知られている（例えば、特許文献１参照。）。この技術では、例えば、スケールガラスには、複数の伝搬路の電波の周波数に対応したスケールが印されているものである。
【先行技術文献】
【特許文献】
【０００５】
【特許文献１】実開平０６−００２３２６号公報
【発明の概要】
【発明が解決しようとする課題】
【０００６】
しかし、特許文献１に記載の技術はズームレンズを内蔵した望遠スコープであり構成が複雑で、コストが高いという問題がある。
【０００７】
そこで、この発明は、電波伝搬路に設置された反射板において、簡易な構成、かつ、低コストで障害物の有無を容易に点検可能な電波伝搬路点検装置を提供することを目的としている。
【課題を解決するための手段】
【０００８】
前記の課題を解決するために、請求項１に記載の発明は、電波伝搬路に配設された反射板に配設され、障害物の有無を点検する電波伝搬路点検装置であって、前記電波伝搬路において障害物の除去が必要なエリアを標示する標示部と、前記標示部を電波伝搬方向に向かうように前記反射板に取り付けるための取付手段と、を備えることを特徴とする電波伝搬路点検装置である。
【０００９】
この発明によれば、標示部が、電波伝搬方向に向かって反射板に取り付けられると、反射板における対向先との間の電波伝搬路が区域として標示される。
【００１０】
請求項２に記載の発明は、請求項１に記載の電波伝搬路点検装置において、前記標示部と離接して配設され、前記標示部が前記電波伝搬方向に向かって配設されていることを確認するための接眼部を備える、ことを特徴とする。
【００１１】
請求項３に記載の発明は、請求項１または２に記載の電波伝搬路点検装置において、前記標示部はリング状に形成されている、ことを特徴とする。
【００１２】
請求項４に記載の発明は、請求項１ないし３のいずれか１項に記載の電波伝搬路点検装置において、前記標示部は、前記電波伝搬路における障害物を直ちに除去する必要がある第１のエリアを標示する第１の標示部と、障害物を直ちに除去する必要がないが経過観察を要する第２のエリアを標示する第２の標示部とを有する、ことを特徴とする。
【発明の効果】
【００１３】
請求項１に記載の発明によれば、標示部によって対向先との間の前記電波伝搬路を区域として標示するので、電波伝搬路を誰にでもわかり易く標示することができる。このため、作業者による電波伝搬路の認識のバラツキを防止できるので、樹木の伐採の要否の判定のバラツキを防止できる。また、視界不良で電波の伝送相手の空中線アンテナや反射板を視認できない場合であっても、標示部によって電波伝搬路を確実に知ることができる。このため、いつでも正確に障害物の有無を確認することができる。
【００１４】
また、電波伝搬路点検装置は、標示部と取付手段とによって構成されているため、簡易な構成、かつ、低コストで障害物の有無を点検可能である。さらに、特別な操作を必要としないので、作業者の熟練度によらず誰でも容易に点検可能である。
【００１５】
請求項２に記載の発明によれば、標示部が電波伝搬方向に向かって配設されていることを確認するための接眼部を有しているので、誰でも正確に標示部によって電波伝搬方向を確認することができる。このため、作業者による障害物の有無の判断のバラツキを防止できる。
【００１６】
請求項３に記載の発明によれば、標示部がリング状であるので、簡易な構成、かつ、低コストで、電波伝搬路を確実に標示することができる。また、リング状であることにより、山上の反射板に取り付けたままであっても蛇や鳥獣などが内部に侵入することを防止できる。反射板に取り付けておくことができるため、ＧＰＳ装置を含む測定用具の準備が不要となるので、緊急の点検であっても対応可能である。さらに、リングの径を変えることで標示する電波伝搬路を調節可能である。
請求項４に記載の発明によれば、第１の標示部によって、電波伝搬路における障害物を直ちに除去する必要がある第１のエリアを確認可能であるとともに、第２の標示部によって、障害物を直ちに除去する必要はない第２のエリアを確認可能である。すなわち、障害物を直ちに除去する必要がない第２のエリアまで確認することで、近い将来の伐採の可能性を予測しておくことができる。これにより、重点的に点検すべき箇所を把握できるので、効果的な点検が可能であり、見逃しを防止可能である。
【図面の簡単な説明】
【００１７】
【図１】この発明の実施の形態１に係る電波伝搬路点検装置を反射板に取り付けた状態を示す側面図である。
【図２】図１の電波伝搬路点検装置を示す斜視図である。
【図３】図１の電波伝搬路点検装置を示す側面図である。
【図４】図１の電波伝搬路点検装置を示す正面図である。
【図５】図１の電波伝搬路点検装置のＡ−Ａ線における断面図である。
【図６】図１の電波伝搬路点検装置によって障害物の有無を確認している状態を示す図であり、（ａ）は電波伝搬路に障害物がない状態を示す図であり、（ｂ）は電波伝搬路に障害物がある状態を示す図である。
【図７】図１の電波伝搬路点検装置を反射板に取り付けた状態を示す上面図である。
【図８】この発明の実施の形態２に係る電波伝搬路点検装置の標示部を示す正面図である。
【図９】図８の電波伝搬路点検装置によって障害物の有無を確認している状態を示す図であり、（ａ）は電波伝搬路に障害物がない状態を示す図であり、（ｂ）は電波伝搬路に障害物がある状態を示す図である。
【図１０】図８の電波伝搬路点検装置を反射板に取り付けた状態を示す斜視図である。
【発明を実施するための形態】
【００１８】
以下、この発明を図示の実施の形態に基づいて説明する。
【００１９】
（実施の形態１）
図１ないし図７は、この発明の実施の形態１を示している。
【００２０】
電波伝搬路点検装置１は、図１に示すように電波伝搬路に配設された反射板１００に配設され、障害物（樹木）の有無を点検するものであって、図２ないし図４に示すように主として、標示枠２と、接眼部３と、取付手段４とを備えている。
【００２１】
標示枠２は、反射板１００において、対向先との間の電波伝搬路を区域として標示するものである。ここで、対向先とは、電波を伝搬する対向先の空中線アンテナや反射板１００のことである。標示枠２は、図５に示すように、第２の標示部としての第２の標示枠（大径リング）２１と、大径リング２１の内側に配設された第１の標示部としての第１の標示枠（小径リング）２２を備える２重のリング状に形成されている。大径リング２１は、樹木を直ちに除去する必要がないが経過観察を要する第２のエリアとしての伐採注意エリアを標示するものであり、反射板１００に取り付けた際に外周縁が電波伝搬路を示す大きさとなるように設定されている。すなわち、大径リング２１は、例えば、数か月後に樹木が成長した際に、要伐採エリアに入るおそれがある区域を標示するように大きさ、形状が設定されている。このため、図６（ａ）に示すように、点検時に大径リング２１内に樹木が入っている場合は、直ちに伐採する必要がないものの、成長によって伸びたり、風雪によって曲がったりして小径リング２２内に入らないか否かの経過観察を要する、と判定する。
【００２２】
小径リング２２は、電波伝搬路における樹木を直ちに除去する必要がある第１のエリアとしての要伐採エリアを標示するものであり、反射板１００に取り付けた際に外周縁が要伐採エリアを示す大きさとなるように設定されている。すなわち、小径リング２２は、樹木によって反射板１００と対向先との間の電波の入射が遮断される区域を標示するように大きさ、形状が設定されている。このため、図６（ｂ）に示すように、点検時に小径リング２２内に樹木が入っている場合は、直ちに伐採する必要がある、と判定する。この小径リング２２は、支持部２３〜２６を介して、大径リング２１の内側に配設されている。
【００２３】
接眼部３は、図２、図３に示すように標示枠２と離接して配設され、図７に示すように標示枠２が電波伝搬方向Ａに向かって配設されていることを確認するためのものである。接眼部３は、標示枠２の大径リング２１と略同等の外径を有するリング状に形成されており、図２、図３に示すように、取付手段４の長手方向に沿って標示枠２と同一軸心上に配設されている。この接眼部３は、電波伝搬路点検装置１の標示枠２によって要伐採エリアを確認する際に、電波伝搬方向Ａ、すなわち、覗く方向をガイドするためのものである。すなわち、接眼部３から覗いた際に、標示枠２が視野の中心に位置するように覗くと、電波伝搬方向Ａを正確に向くことができるようになっており、電波伝搬路にかかる樹木の有無を確実に点検できるようになっている。
【００２４】
取付手段４は、標示枠２を反射板１００に取り付けるためのものであり、図２、図３に示すように、板状材で構成されており、長手方向の一端側に接眼部３が配設され、他端側に標示枠２が配設されている。この取付手段４は、接着剤によって反射板１００に固定可能である。
【００２５】
このような構成の電波伝搬路点検装置１は、反射板１００の外周縁上で、１箇所で対向先が確認可能で、障害物の有無を確認可能な位置に取り付けられる。この実施の形態においては、電波伝搬路点検装置１は、図１、図７に示すように反射板１００の側方下端部に、接眼部３が反射板１００の背面側、標示枠２が正面側となるように取付手段４を介して取り付けられる。
【００２６】
つぎに、この実施の形態における電波伝搬路点検装置１の使用方法および作用について説明する。
【００２７】
まず、図１、図７に示すように、反射板１００に電波伝搬路点検装置１が取り付けられる。このとき、反射板１００から、対向先である反射板１００、すなわち、電波伝搬方向Ａが視認によって確認され、電波伝搬路点検装置１の取付位置や取付方向が特定される。この実施の形態においては、図１に示すように、反射板１００の側方下端部の背面側から、目視や地図によって対向先である反射板１００が特定される。
【００２８】
そして、電波伝搬路点検装置１の標示枠２と接眼部３が対向先の反射板１００と同一直線上となるように位置や向きが調節された状態で、取付手段４が、接着剤で反射板１００の側方下端部に取り付けられる。
【００２９】
つづいて、電波伝搬路における障害物の有無の点検について説明する。
【００３０】
まず、作業者が反射板１００の背面側に接眼部３のリング部と正対するように立った状態で、接眼部３から標示枠２が視野の中心部に位置するように覗かれる。
【００３１】
そして、大径リング２１内、小径リング２２内の樹木の有無が確認される。具体的には、図６（ａ）に示すように、大径リング２１内には樹木があるが、小径リング２２内には樹木がない場合は、電波伝搬路に樹木がないと判定される。このため、すぐには樹木の伐採が必要ではないが、樹木の成長によって近いうちに伐採が必要になると判定される。また、図６（ｂ）に示すように、小径リング２２内に樹木が入っている場合は、電波伝搬路に樹木があると判定される。このため、すぐに樹木の伐採が必要であると判定され、樹木の伐採工事が計画、実施される。
【００３２】
このような点検作業が、複数の反射板１００についてそれぞれ実施される。
【００３３】
以上のように、電波伝搬路点検装置１は、標示枠２によって電波伝搬路１を誰にでもわかり易く標示することができる。このため、作業者による電波伝搬路の認識のバラツキを防止できるので、樹木の伐採の要否の判定のバラツキを防止できる。また、視界不良で電波の伝送相手の空中線アンテナや反射板１００を視認できない場合であっても、標示枠２によって電波伝搬路を確実に知ることができる。このため、いつもで正確に樹木の有無を確認することができる。
【００３４】
また、電波伝搬路点検装置１は、標示枠２と、接眼部３と、取付手段４とによって構成されているため、簡易な構成、かつ、低コストで樹木の有無を点検可能である。さらに、点検に際して特別な操作を必要としないので、作業者の熟練度によらず誰でも容易に点検可能である。
【００３５】
さらに、標示枠２が電波伝搬方向Ａに向かって配設されていることを確認するための接眼部２を有しているので、誰でも正確に標示枠２によって電波伝搬方向Ａを確認することができる。このため、作業者による樹木の有無の判断のバラツキを防止できる。
【００３６】
さらにまた、標示枠２がリング状であるので、簡易な構成、かつ、低コストで、電波伝搬路を確実に標示することができる。また、リング状であることにより、山上に配設したままであっても蛇や鳥獣が内部に侵入することを防止できる。反射板１００に取り付けておくことができるため、ＧＰＳ装置を含む測定用具の準備が不要となるので、緊急の点検であっても対応可能である。さらに、標示枠２のリングの径を変えることで標示する電波伝搬路１を調節可能である。
【００３７】
標示枠２の小径リング２２内の樹木の有無によって樹木伐採の要否を判定するため、作業者によらずに樹木伐採の要否判定を同一条件でできる。このため、誰が点検しても同じ結果となり、作業者による判定結果のバラツキを防止できる。また、樹木伐採の要否判定を同一条件とすることにより、計画的に伐採計画を立案可能である。
【００３８】
さらに、小径リング２２によって、電波伝搬路における障害物を直ちに除去する必要がある要伐採エリアを確認可能であるとともに、大径リング２１によって、障害物を直ちに除去する必要はない伐採注意エリアを確認可能である。すなわち、障害物を直ちに除去する必要がない伐採注意エリアまで確認することで、近い将来の伐採の可能性を予測しておくことができる。これにより、重点的に点検すべき箇所を把握できるので、効果的な点検が可能であり、見逃しが防止可能である。
【００３９】
（実施の形態２）
図８ないし図１０は、この発明の実施の形態２を示している。この実施の形態では、標示部５の構成が、実施の形態１の標示枠２と異なる。このため、実施の形態１と同等の構成については、同一または対応する符号を付することで、その説明を省略する。
【００４０】
標示部５は、図８ないし図１０に示すように、リング部５１と、略Ｌ字型の外枠部５２とを備えている。リング部５１は、反射板１００に取り付けた際に外周縁が要伐採エリアを示す大きさとなるように設定されており、水平部５３を介して外枠部５２に配設されている。外枠部５２は、伐採注意エリアを示すものであり、垂直部５２ａと、水平部５２ｂとが略直交して形成されている。すなわち、図９（ａ）に示すように、外枠部５２内に樹木がかかる場合は、近いうちに伐採する必要が生じると判断し、図９（ｂ）に示すように、リング部５１内に樹木がかかる場合はすぐに伐採する必要があると判断する。
【００４１】
この標示部５は、反射板１００において、例えば、電波伝搬路の上方が開けており、上方について樹木を含む障害物の確認が不要な場所、例えば、樹木が下方からのみ茂ってくる場所などに取り付ける。
【００４２】
この実施の形態においては、標示部５は、リング部５１と、略Ｌ字型の外枠部５２とによって構成されるので、簡易な構成、かつ、低コストで、電波伝搬路を確実に標示することができる。また、山上に配設したままであっても蛇や鳥獣が内部に侵入することを防止できる。反射板１００に取り付けておくことができるため、ＧＰＳ装置を含む測定用具の準備が不要となるので、緊急の点検であっても対応可能である。さらに、リング部５１や外枠部５２の内周を変えることで標示する電波伝搬路を調節可能である。
【００４３】
以上、この発明の実施の形態について説明したが、具体的な構成は、これらの実施の形態に限られるものではなく、この発明の要旨を逸脱しない範囲の設計の変更等があっても、この発明に含まれる。例えば、上記の実施の形態では、標示枠２を大径リング２１と、小径リング２２とを有する２重リング状であるものとして説明したが、３重リングなどとしてもよい。このように構成することにより、伐採要否の判定をさらに細分化して、例えば、要伐採エリアを２つに分けて要伐採エリアと、その場で伐採が必要な至急伐採エリアとにわけるようにしてもよい。
【００４４】
また、標示枠２はリング状ではなく、四角形状を含む他の形状としてもよいことはもちろんである。
【００４５】
また、標示枠２を、取付手段４の長手方向にスライド自在に配設してもよい。このように構成することにより、取付位置を、取り付け時に現地で容易に調節することができる。
【００４６】
さらに、電波伝搬路点検装置１を反射板１００に複数配設するようにしてもよい。その場合は、例えば、２つの電波伝搬路点検装置１が、接眼部３側で近接し、標示枠２側で離接するように所定の角度を成すように配設してもよい。このように構成することにより、複数方向を確認可能となり、障害物の有無をより確実に点検することが可能となる。
【符号の説明】
【００４７】
１              電波伝搬路点検装置
２              標示枠（標示部）
２１            第２の標示枠（大径リング、第２の標示部）
２２            第１の標示枠（小径リング、第１の標示部）
３              接眼部
４              取付手段
１００          反射板
Ａ              電波伝搬方向
【図１】
2014135570.tif 000003
【図２】
2014135570.tif 000004
【図３】
2014135570.tif 000005
【図４】
2014135570.tif 000006
【図５】
2014135570.tif 000007
【図６】
2014135570.tif 000008
【図７】
2014135570.tif 000009
【図８】
2014135570.tif 000010
【図９】
2014135570.tif 000011
【図１０】
2014135570.tif 000012